(57)【要約】【課題】商品を陳列する際に、簡便に、化粧箱を商品陳列用什器に転用することのできる什器転用型化粧箱を提供する。【解決手段】什器転用型化粧箱１０は、一方の第１側面板１３及び第１側面板１３から両側へ張り出した端フラップ３３に、上下方向中央部に、箱を上下に分断するための第１の開封帯１７，３６が形成されている。他方の第１側面板１４及び第１側面板１４から両側へ張り出した端フラップ３４には、他方の第１側面板１４の一部を連結部２１として残した状態で箱を上下に分断するための第２の開封帯２０，３７が形成されている。第１の開封帯１７，３６及び第２の開封帯２０，３７に沿って箱を上下に分断でき、かつ、分断した箱の上部１０Ｕを箱の下部１０Ｄの下台として折り返せる。【選択図】図１０
2020125128.tif 000002
【特許請求の範囲】
【請求項１】
型抜きされた１枚の厚紙ブランクにより形成された直方体状の化粧箱であって、
矩形の底面板、矩形の上面板、相対向する一対の第１側面板、及び相対向する一対の第２側面板を有し、
各前記第２側面板は、前記底面板から張り出した下フラップ、前記上面板から張り出した上フラップ及び前記一対の第１側面板から張り出した端フラップの対が、それぞれ折り曲げられ、部分的に重ね合わされることによって形成されており、
前記上フラップ及び下フラップ間には、横長の隙間が空いており、
一方の前記第１側面板及び当該第１側面板から両側へ張り出した各前記端フラップには、上下方向中央部に、箱を上下に分断するための第１の開封帯が形成されており、
他方の前記第１側面板及び当該第１側面板から両側へ張り出した各前記端フラップには、前記他方の第１側面板の一部を連結部として残した状態で箱を上下に分断するための第２の開封帯が形成されており、
前記第１の開封帯及び前記第２の開封帯に沿って箱を上下に分断でき、かつ、分断した箱の上部を前記連結部を介して箱の下部の下に台として折り返せることを特徴とする、什器転用型化粧箱。
【請求項２】
前記分断した箱の上部は、前記他方の第１側面板の下辺であって、前記底面板と繋がった部分に沿って天地逆になるように折り返せることを特徴とする、請求項１に記載の什器転用型化粧箱。
【請求項３】
前記第２の開封帯は、前記他方の第１側面板の各端フラップを上下に分断し、かつ、前記他方の第１側面板の上部が前記底面板と繋がった状態を維持する連結部を生じるように形成されていることを特徴とする、請求項１又は２に記載の什器転用型化粧箱。
【発明の詳細な説明】
【技術分野】
【０００１】
本発明は、包装箱に関し、特に、出荷、運搬、店舗への搬入時は、複数の商品を収容して包装する化粧箱として機能し、商品を店頭で陳列する際には、商品陳列用の什器として活用することのできる包装箱に関する。
【背景技術】
【０００２】
化粧箱を開封し、化粧箱に入れた状態のまま商品を店頭で陳列する際に、商品の高さが低いと商品名や商品の種類等を視認することが困難になるという問題があった。
係る問題を解決するための従来技術として、例えば特許文献１に記載のラップラウンドケースが提案されている。
【先行技術文献】
【特許文献】
【０００３】
【特許文献１】特開２０１１−１０５３１４号公報
【発明の概要】
【発明が解決しようとする課題】
【０００４】
特許文献１に開示されたラップラウンドケースは、飲料缶等の商品の包装に使用されるものである。このラップラウンドケースは、ケース上部をケース下部の下方に置いて底上げの補助台として用いる際に、ケース上部を補強して、ケース下部に収容された商品の重みに耐えられる強度にしなければならないという課題がある。
また、ケース下部の下方に置かれたケース上部は、配置位置がずれないように位置決めをし、その上にケース下部を適切に乗せなければならないという課題もある。
【０００５】
一方、菓子等の商品は、特許文献１に開示された飲料缶等のためのラップラウンドケースとは異なり、段ボール紙ではなく、厚紙で形成された化粧箱に収容される。そして、店頭で化粧箱が開封されて、化粧箱内に収容された商品が、商品棚等に陳列される。その際に、商品の陳列高さが低い場合、プライスカードなどで商品の正面部分が隠れてしまい、商品名やパッケージデザインの視認、確認が困難になるといった問題点が、店舗などから挙がっているという現状がある。
【０００６】
本発明は、係る背景の元になされたものであり、商品を陳列する際に、簡便に、化粧箱を商品陳列用什器に転用することのできる什器転用型化粧箱を提供することを主たる目的とするものである。
【課題を解決するための手段】
【０００７】
本発明は、上記目的を達成するためになされたものであり、請求項１記載の発明は、型抜きされた１枚の厚紙ブランクにより形成された直方体状の化粧箱であって、矩形の底面板、矩形の上面板、相対向する一対の第１側面板、及び相対向する一対の第２側面板を有し、各前記第２側面板は、前記底面板から張り出した下フラップ、前記上面板から張り出した上フラップ及び前記一対の第１側面板から張り出した端フラップの対が、それぞれ折り曲げられ、部分的に重ね合わされることによって形成されており、前記上フラップ及び下フラップ間には、横長の隙間が空いており、一方の前記第１側面板及び当該第１側面板から両側へ張り出した各前記端フラップには、上下方向中央部に、箱を上下に分断するための第１の開封帯が形成されており、他方の前記第１側面板及び当該第１側面板から両側へ張り出した各前記端フラップには、前記他方の第１側面板の一部を連結部として残した状態で箱を上下に分断するための第２の開封帯が形成されており、前記第１の開封帯及び前記第２の開封帯に沿って箱を上下に分断でき、かつ、分断した箱の上部を前記連結部を介して箱の下部の下に台として折り返せることを特徴とする、什器転用型化粧箱である。
【０００８】
請求項２記載の発明は、前記分断した箱の上部は、前記他方の第１側面板の下辺であって、前記底面板と繋がった部分に沿って天地逆になるように折り返せることを特徴とする、請求項１に記載の什器転用型化粧箱である。
請求項３記載の発明は、前記第２の開封帯は、前記他方の第１側面板の各端フラップを上下に分断し、かつ、前記他方の第１側面板の上部が前記底面板と繋がった状態を維持する連結部を生じるように形成されていることを特徴とする、請求項１又は２に記載の什器転用型化粧箱である。
【発明の効果】
【０００９】
本発明によれば、第１の開封帯及び第２の開封帯を切り離すことにより、一側面の一部が繋がった状態で、化粧箱を上部と下部とに分断することができる。そして、一側面の端縁を中止に化粧箱の上部を約３６０度回動させて折り返すことにより、化粧箱の上部を下部の下に適切に配置することができる。
これにより、商品が収容されていた化粧箱を、非常に簡便な方法で、商品陳列用の什器に転用することができる。そして、化粧箱に収容されている商品が高さの低い商品であっても、陳列時に、商品の正面が隠れたりすることを防止できる。よって、商品の特長を消費者に訴求できる。また、商品の残数の把握が容易に行える。
【図面の簡単な説明】
【００１０】
【図１】図１は、本発明の一実施形態に係る化粧箱１０の平面図である。
【図２】図２は、本発明の一実施形態に係る化粧箱１０の正面図である。
【図３】図３は、本発明の一実施形態に係る化粧箱１０の背面図である。
【図４】図４は、本発明の一実施形態に係る化粧箱１０の右側面図である。
【図５】図５は、本発明の一実施形態に係る化粧箱１０の左側面図である。
【図６】図６は、本発明の一実施形態に係る化粧箱１０の底面図である。
【図７】図７は、本発明の一実施形態に係る化粧箱１０の展開図（化粧箱１０を形成する厚紙ブランク１）である。
【図８】図８は、本発明の一実施形態に係る化粧箱１０の正面側だけを開封した状態を化粧箱１０の正面側から見た斜視図である。
【図９】図９は、図８のように正面側を開封した化粧箱１０に対し、さらに、背面側を開封した状態を化粧箱１０の背面側から見た斜視図である。
【図１０】図１０は、化粧箱１０の上部を折り返して下部の下に位置させて什器として使用した状態を示す背面側から見た斜視図である。
【図１１】図１１は、化粧箱１０の上部を折り返して下部の下に位置させて什器として使用した状態を示す正面側から見た斜視図である。
【図１２】図１２は、この発明の他の実施形態に係る化粧箱６０の背面図である。
【図１３】図１３は、図１２に示す化粧箱６０を開封し、箱の上部を折り返して下部の下に位置させて什器として使用する場合を背面側から見た斜視図である。
【図１４】図１４は、この発明のさらに他の実施形態に係る化粧箱７０の背面図である。
【発明を実施するための形態】
【００１１】
以下では、図面を参照して、本発明の実施形態について具体的に説明をする。
図１ないし図６は、本発明の一実施形態に係る化粧箱１０の六面図を示す。また、図７は、化粧箱１０の展開図であり、当該展開図に示す厚紙ブランク１を組み立てることにより、化粧箱１０を形成することができる。
図１ないし図７を参照して、化粧箱１０は、矩形の底面板１１、矩形の上面板１２、正面板１３、背面板１４、右側面板１５及び左側面板１６を含み、直方体状をなしている。
【００１２】
正面板１３及び背面板１４が、特許請求の範囲で特定する相対向する一対の第１側面板を構成している。
図２を参照して、正面板１３には、化粧箱１０を開封する際に引き千切る開封帯１７が形成されている。開封帯１７を引き千切ることにより、化粧箱１０（の正面板１３）は、上下に分断される。開封帯１７は、正面板１３の上下方向の中央部に、右端から左端まで横方向に延びる帯である。開封帯１７を区画する上切目線１８は横方向の水平線であり、下切目線１９は、左右両側において帯幅が狭く、中央部において帯幅が広くなるように、左端から右端に向かって、短い水平線１９ａ、斜め下方に延びる斜線１９ｂ、水平に延びる水平線１９ｃ、斜め上方へ延びる斜線１９ｄ、及び短い水平線１９ｅを含む折れ線を有している。上切目線１８及び下切目線１９は、任意形状の短い切込を断続的に入れて作られた切目線によって構成されている。
【００１３】
正面板１３に形成した開封帯１７を、上切目線１８を水平線とし、下切目線１９を折れ線としたことにより、正面板１３の上部下端辺は水平になり、下部上端辺は、中央部が凹み、箱の内方を視認しやすい形状となる。
しかし、正面板１３に形成する開封帯１７の形状は、上記の形状に限定されるものではない。例えば、開封帯１７の上切目線１８は水平線のまま、下切目線１９を下方に向かって凹湾曲した曲線としてもよいし、下切目線１９も、水平線としてもよい。あるいは、下切目線１９を、波状のうねり線や山がつらなったギザギザ形状としてもよい。要は、開封帯１７を引き千切って正面板１３を上下に分断した際に、正面板１３の下部上端辺を通して箱の内側が見易い、又は、正面板１３の下部上端辺が装飾的形状を呈し、箱に入った商品の見映えがよくなる形状であればよい。
【００１４】
図３を参照して、背面板１４にも、化粧箱１０を開封する際に引き千切る開封帯２０と、背面板１４の上部１４Ｕと底面板１１との連結を維持するための連結部２１が形成されている。
より詳細には、開封帯２０は背面板１４の左右両側部において、上下方向中央位置に形成されている。開封帯２０の上線２２及び下線２３は、任意形状の短い切込を断続的に入れて作られた切目線によって構成されている。連結部２１の上縁は、背面板１４の上部１４Ｕと折り目線２４で繋がっている。連結部２１の左右側方は、背面板１４の下辺中央に向かって斜めに延びる左右一対の切目線２５によって区画されている。さらに連結部２１の左右両側において、開封帯２０との間は、切目線２６で区画されている。また、連結部２１には、その下辺から略開封帯２０の帯幅分上がった位置に、横方向に延びる折り目線２７が形成されている。
【００１５】
図４及び図５を参照して、右側面板１５及び左側面板１６は、左右対称な構成であり、単一のシート（紙板）ではなく、複数のシート（紙板）により形成されており、隙間（窓）３５を有している点で共通している。なお、図４及び図５では、隙間（窓）３５をわかり易く示すために、隙間（窓）３５をグレーに着色している。
詳細に説明すると、右側面板１５は、底面板１１の右側辺から張り出した下フラップ３１が折り曲げられ、上面板１２の右側辺から張り出した上フラップ３２が折り曲げられ、正面板１３の右側辺から張り出した端フラップ３３及び背面板１４の右側辺から張り出した端フラップ３４がそれぞれ折り曲げられ、各フラップ３１、３２、３３、３４の重なり合った部分が接着されることにより形成されている。そして、右側面板１５には、下フラップ３１の先端辺、上フラップ３２の先端辺及び端フラップ３３、３４の先端辺によって区画される横長の隙間（窓）３５が備えられている。
【００１６】
左側面板１６も、右側面板１５と同様に、底面板１１の左側辺から張り出した下フラップ３１が折り曲げられ、上面板１２の左側辺から張り出した上フラップ３２が折り曲げられ、正面板１３の左側辺から張り出した端フラップ３３及び背面板１４の左側辺から張り出した端フラップ３４がそれぞれ折り曲げられ、各フラップ３１、３２、３３、３４の重なり合った部分が接着されることにより形成されている。そして、左側面板１６には、下フラップ３１の先端辺、上フラップ３２の先端辺及び端フラップ３３、３４の先端辺によって区画される横長の隙間（窓）３５が備えられている。
【００１７】
右側面板１５及び左側面板１６において、各端フラップ３３及び３４には、上下方向の中央部に、各端フラップ３３及び３４の先端辺から内方へと水平方向に延びる開封帯３６及び３７が形成されている。この化粧箱１０を開封する際には、各開封帯３６及び３７を引き千切る。そうすると、開封帯３６に連設された正面板１３の開封帯１７を引き続いて引き千切ることができる。また、開封帯３７に連設された背面板１４の開封帯２０を引き続いて引き千切ることができる。
【００１８】
開封帯３６及び開封帯３７は、開封帯１７や開封帯２０と同様に、上下方向に所定の幅を有し、横方向に延びる帯であり、上下に形成された任意形状の短い切込を断続的に入れて作られた切目線によって構成されている。
図６を参照して、底面板１１には背面板１４が繋がった一端辺側の中央部に、半円形に切目線３８が入れられている。この切目線３８は、背面板１４の連結部２１を、開封された化粧箱１０の下部から切り離したい場合に活用される。切目線３８に沿って底面板１１から半円形部３９を切り離すと、半円形部３９は背面板１４の連結部２１の下端と接続しているので、連結部２１を介して化粧箱１０の下部と繋がっている背面板１４の上部１４Ｕを、化粧箱１０の下部（下半分）から完全に分離することができる。化粧箱１０を、什器として使用しない場合、つまり、化粧箱１０の上部を台として折り返して配置しない場合には、切目線３８に沿って半円形部３９を底面板１１から外すことにより、化粧箱１０の上部を下部から完全に分離することができる。
【００１９】
なお、底面板１１に表われている小窓４０は、底面側から化粧箱１０内の商品を確認等する際に利用される窓である。（例えば、商品の賞味期限の確認に使用される。）この小窓４０については、なくしてもかまわない。
図７を参照して、底面板１１の一端辺に連設されたのり代片２９を正面板１３の一端辺側と接続することによって、底面板１１、正面板１３、上面板１２及び背面板１４によって環状リング状の化粧箱１０が形成される。そして、右側面板１５及び左側面板１６が後に閉じられて封箱される構成とされており、いわゆるラップラウンド箱となっている。
【００２０】
図８は、化粧箱１０の正面側を開封し、その開封した状態の化粧箱１０を正面側から見た斜視図である。
図８に示すように、正面側の開封は、左右両側の端フラップ３３の開封帯３６を引き千切り、かつ正面板１３に形成された開封帯１７を引き千切ることにより行う。これによって、化粧箱１０は、その正面板１３および左右側面板１５、１６が上下に分離される。
【００２１】
なお、図８においては、説明の便宜上、化粧箱１０内に整列して収容されている複数個の商品５０（一例として、箱入りチョコレート）をグレーに着色し、破線で示している。
図９は、図８のように正面側を開封した化粧箱１０に対し、さらに、背面側を開封した状態を、背面側から見た斜視図である。
図９に示すように、背面側の開封は、端フラップ３４の開封帯３７を引き千切り、かつ背面板１４に形成されている開封帯２０を引き千切ることにより行われる。これによって、化粧箱１０は、その背面板１４の左右両側部分が上下に分離される。しかし、背面板１４の上部１４Ｕは、連結部２１を介して底面板１１と繋がった状態が保たれている。
【００２２】
なお、図９においても、説明の便宜上、化粧箱１０内に整列して収容されている複数個の商品５０（一例として、箱入りチョコレート）をグレーに着色し、破線で示している。
図１０は、化粧箱１０の上部１０Ｕを折り返し、什器として使用する状態を示す図であり、背面側から見た什器転用した化粧箱１０の斜視図である。
図１０においても、化粧箱１０の下部に整列して収容されている複数個の商品５０（一例として、箱入りチョコレート）が、グレーに着色して破線で示されている。
【００２３】
化粧箱１０を什器に転用するには、図９に示す正面側及び背面側を開封した状態から、化粧箱１０の上部１０Ｕを連結部２１の下端縁を中心に回動させるように折り返し、かつ、連結部２１の上下方向の長さの余剰分を吸収するように、連結部２１を折り目線２７に沿って折り曲げる。そして、折り返した化粧箱１０の上部１０Ｕを、化粧箱１０の下部１０Ｄの下に位置させることによりなされる。
【００２４】
図１１は、化粧箱１０の上部１０Ｕを化粧箱１０の下部１０Ｄの下に位置させて什器として用いた状態を正面側から見た斜視図である。
図１０及び図１１に示すように、化粧箱１０の下部１０Ｄは、折り返して配置した上部１０Ｕによって底面板１１が上方へ持ち上げられ、商品５０の視認位置が上る。よって、化粧箱１０に収容された商品５０が、たとえ高さの低い商品であっても、商品陳列時に、プライスカードなどで商品５０の正面部分が隠れてしまわないように陳列できる。よって、商品５０の特長を消費者に訴求することができる。また、商品５０の残数が容易に把握できる。
【００２５】
このように、化粧箱１０は、什器に転用することができ、それによって、商品５０を効果的に陳列できる。
図１２は、この発明の他の実施形態に係る化粧箱６０の背面図である。図１２を参照して、化粧箱６０の背面板１４には、化粧箱６０を開封する際に引き千切る開封帯２０と、背面板１４の上部１４Ｕと底面板との連結を維持するための連結部２１とが形成されている。
【００２６】
詳細には、開封帯２０は背面板の左右両側部において、上下方向中央位置に形成されている。開封帯２０の上線２２及び下線２３は、任意形状の短い切込を断続的に入れて作られた切目線によって構成されている。連結部２１の上部は、背面板１４の上部１４Ｕと、背面板１４の上下方向中央位置に形成された折り目線６１で連結されている。連結部２１の左右側方は、背面板１４の下辺中央に向かって斜めに延びる左右一対の切目線２５によって区画されている。さらに、連結部２１の左右両側において、開封帯２０との間は、切目線２６で区画されている。
【００２７】
なお、図３を参照して説明した背面図との差異は、連結部２１と背面板１４の上部１４Ｕとの境界を形成する折り目線６１の位置であり、かつ、図３においては連結部２１に設けられていた折り目線２７が、図１２の連結部２１においては、設けられておらず、図１２の背面板１４は、連結部２１の下辺６２を中心に折り返されるようになっている点である。
【００２８】
その余の構成については、先に図１〜７を参照して説明した化粧箱１０の構成と同じであり、同一部分には同一の参照符号を付して、重複した説明は省略する。
図１３は、図１２に示す化粧箱６０を開封し、化粧箱１０の上部６０Ｕを折り返して什器として使用する場合を背面側から見た斜視図である。
図１３に示すように、化粧箱６０を什器に転用して使用する際には、連結部２１の上部の折り目線６１に沿った部分が、化粧箱６０の背面板上部１４Ｕより下方に突出する。そして、この突出部分と、それに対向する上部１４Ｕの突出部分とが、什器の背面側脚部６１Ａとして働く。そして、化粧箱６０の下部６０Ｄの背面側を、前面側に比べてわずかに上方へ持ち上げる。よって、什器転用された化粧箱６０に入った商品５０は、正面側からの視認性が向上する。
【００２９】
また、什器に転用された化粧箱６０は、その背面が平坦になり、連結部２１が後方へ折れ曲がって突出しないので、背面を壁にくっつけることができ、什器の配置がしやすいという利点がある。
図１４は、この発明のさらに他の実施形態に係る化粧箱７０の背面図である。この化粧箱７０の背面板１４には、左右一対の開封帯２０と、背面板１４の上部１４Ｕと底面板１１との連結を維持するための連結部２１が形成されており、連結部２１の左側方は、背面板１４の下辺に向かって垂下する切目線２５′によって区画されているものである。
【００３０】
その余の構成については、図３を参照して説明した背面板の構成と同じであり、同一部分には同一の参照符号を付して、重複した説明は省略する。
この発明は、以上説明した実施形態に限定されるものではなく、請求項記載の範囲内において種々の変更が可能である。
【符号の説明】
【００３１】
１    厚紙ブランク
１０、６０、７０    化粧箱
１０Ｕ    化粧箱の上部
１０Ｄ    化粧箱の下部
６０Ｕ    化粧箱の上部
６０Ｄ    化粧箱の下部
１１    底面板
１２    上面板
１３    正面板
１４    背面板
１４Ｕ    背面板の上部
１５    右側面板
１６    左側面板
１７、２０、３６、３７    開封帯
１８    上切目線
１９    下切目線
２１    連結部
２２    上線
２３    下線
２４、２７、６１    折り目線
２５、２５′、２６、３８    切目線
２９    のり代片
３１    下フラップ
３２    上フラップ
３３、３４    端フラップ
３５    隙間（窓）
３９    半円形部
４０    小窓
５０    商品
６１Ａ    脚部
６２    下辺
【図１】
2020125128.tif 000003
【図２】
2020125128.tif 000004
【図３】
2020125128.tif 000005
【図４】
2020125128.tif 000006
【図５】
2020125128.tif 000007
【図６】
2020125128.tif 000008
【図７】
2020125128.tif 000009
【図８】
2020125128.tif 000010
【図９】
2020125128.tif 000011
【図１０】
2020125128.tif 000012
【図１１】
2020125128.tif 000013
【図１２】
2020125128.tif 000014
【図１３】
2020125128.tif 000015
【図１４】
2020125128.tif 000016